【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
ネットワーク上のＷｅｂサーバにアクセスし、当該Ｗｅｂサーバに格納されたファイルを取得する取得手段と、
前記取得手段で取得したファイルを印刷する印刷手段と、
前記取得手段で取得したファイルを記憶部に保存する保存手段と、
表示部に表示されたＷｅｂページ中に含まれる前記ファイルへのリンクがユーザに選択されるのに応じて、前記印刷手段によって印刷するか、前記保存手段によって保存するかのうちの少なくとも何れか一つをユーザに選択させるための選択画面を、当該表示部に表示させる表示制御手段と、
前記取得手段によって取得されるファイルの属性を解析することによって、当該ファイルは印刷が許可されたファイルであるか否かを判断する判断手段と、
を有し、
前記判断手段によって前記ファイルは印刷が許可されたファイルでないと判断された場合、前記表示制御手段は、当該ファイルを印刷することが選択できない表示形態で、前記選択画面を表示させることを特徴とする画像処理装置。
【請求項２】
ネットワーク上のＷｅｂサーバにアクセスし、当該Ｗｅｂサーバに格納されたファイルを取得する取得手段と、
前記取得手段で取得したファイルを印刷する印刷手段と、
前記取得手段で取得したファイルを記憶部に保存する保存手段と、
表示部に表示されたＷｅｂページ中に含まれる前記ファイルへのリンクがユーザに選択されるのに応じて、前記印刷手段によって印刷するか、前記保存手段によって保存するかのうちの少なくとも何れか一つをユーザに選択させるための選択画面を、当該表示部に表示させる表示制御手段と、
前記取得手段によって取得されるファイルの属性を解析することによって、当該ファイルは保存が許可されたファイルであるか否かを判断する判断手段と、
を有し、
前記判断手段によって前記ファイルは保存が許可されたファイルでないと判断された場合、前記表示制御手段は、当該ファイルを保存することが選択できない表示形態で、前記選択画面を表示させることを特徴とする画像処理装置。
【請求項３】
前記表示制御手段は、前記判断手段において許可されていないと判断された処理を指示するためのボタンをグレーアウトして、前記選択画面上に表示させることを特徴とする請求項１又は２に記載の画像処理装置。
【請求項４】
前記表示制御手段によって表示された前記選択画面において、前記ファイルを保存するための指示がユーザによってなされた場合、前記取得手段で取得したファイルを保存する領域をユーザに指定させるための画面を前記表示部に表示させる第２の表示制御手段を更に有することを特徴とする請求項１乃至３の何れか一項に記載の画像処理装置。
【請求項５】
前記表示制御手段によって表示された前記選択画面において、前記ファイルを印刷するための指示がユーザによってなされた場合、印刷設定をユーザに指定させるための画面を前記表示部に表示させる第３の表示制御手段を更に有することを特徴とする請求項１乃至４の何れか一項に記載の画像処理装置。
【請求項６】
前記表示制御手段によって表示された前記選択画面において、前記ファイルを印刷するための指示、及び前記ファイルを保存するための指示がユーザによってなされた場合、前記保存手段は、前記取得手段で取得したファイルと、前記第３の表示制御手段によって表示された画面においてユーザが指定した印刷設定とを関連付けて記憶することを特徴とする請求項５記載の画像処理装置。
【請求項７】
前記判断手段は、前記Ｗｅｂサーバから取得したＨＴＭＬファイルを解析することによって判断することを特徴とする請求項１乃至６の何れか一項に記載の画像処理装置。
【請求項８】
前記Ｗｅｂサーバに格納されたファイルは、前記Ｗｅｂサーバが提供するＷｅｂコンテンツであることを特徴とする請求項１乃至７の何れか一項に記載の画像処理装置。
【請求項９】
前記Ｗｅｂサーバに格納されたファイルは、ＰＤＦファイルであることを特徴とする請求項１乃至７の何れか一項に記載の画像処理装置。
【請求項１０】
タッチパネルを備える表示部を有する装置であって、
前記表示部に表示された複数のボタンのうちの何れかのボタンを指で触れることによって行う所定の操作に応答して、当該操作がされたボタンに対応する画面を前記表示部に表示させる第１の表示制御手段と、
ネットワーク上のサーバから取得したハイパーテキストデータに基づいて生成された画面を前記表示部に表示させる第２の表示制御手段と、
前記ハイパーテキストデータが別のデータへのリンクを含む場合に、当該リンクを示す表示箇所に対して、前記ボタンに対して行った所定の操作と同じ操作が行われた場合には、当該操作に応答してリンク先の別のデータを表示させることなく、リンク先の別のデータを印刷する処理を少なくとも含む複数の処理の中から何れかの処理をユーザに選択させるための選択画面を前記表示部に表示させる第３の表示制御手段と、
を有することを特徴とする装置。
【請求項１１】
前記はハイパーテキストデータに含まれるリンクが示す別のデータは、ＰＤＦファイルであることを特徴とする請求項１０記載の装置。
【請求項１２】
前記選択画面によって選択可能な処理は、前記リンク先の別のデータを保存する処理を含むことを特徴とする請求項１０又は１１記載の装置。
【請求項１３】
前記選択画面によって選択可能な処理は、前記リンク先の別のデータを表示する処理を含むことを特徴とする請求項１０乃至１２の何れか一項に記載の装置。
【請求項１４】
前記選択画面において、前記リンク先の別のデータを印刷する処理が選択された場合に、当該別のデータを印刷する印刷手段を更に有することを特徴とする請求項１０乃至１３の何れか一項に記載の装置。
【請求項１５】
前記ネットワーク上のサーバはＷｅｂサーバであり、前記ハイパーテキストデータはＨＴＭＬファイルであることを特徴とする請求項１０乃至１４の何れか一項に記載の装置。
【請求項１６】
タッチパネルを備える表示部と、
データを記憶する記憶部と、
前記表示部に表示された複数のボタンのうちの何れかをユーザがタッチすることに応答して、当該タッチされたボタンに対応した固有の画面を前記表示部に表示させる第一の表示制御手段と、
ネットワーク上のサーバから取得したハイパーテキストデータに基づいて生成された画面を前記表示部に表示させる第二の表示制御手段と、
前記ハイパーテキストデータがＰＤＦファイルへのリンクを含む場合に、当該ＰＤＦファイルへのリンクに対応する表示箇所を、前記ボタンをタッチしたときと同じ操作によってタッチすることに応答して、当該ＰＤＦファイルを表示するか、印刷するか、保存するかをユーザに選択させるための選択画面を前記表示部に表示させる第三の表示制御手段と、
前記表示部に表示された選択画面において、ユーザによって表示が選択された場合、前記リンクに対応するＰＤＦファイルを前記表示部に表示させる第四の表示制御手段と、
前記表示部に表示された選択画面において、ユーザによって印刷が選択された場合、前記リンクに対応するＰＤＦファイルを印刷させる印刷制御手段と、
前記表示部に表示された選択画面において、ユーザによって保存が選択された場合、前記リンクに対応するＰＤＦファイルを前記記憶部に記憶する記憶手段と、
を有することを特徴とする装置。
【請求項１７】
画像処理装置の制御方法であって、
ネットワーク上のＷｅｂサーバにアクセスし、当該Ｗｅｂサーバに格納されたファイルを取得する取得ステップと、
前記取得ステップで取得したファイルを印刷する印刷ステップと、
前記取得ステップで取得したファイルを記憶部に保存する保存ステップと、
表示部に表示されたＷｅｂページ中に含まれる前記ファイルへのリンクがユーザに選択されるのに応じて、前記印刷ステップによって印刷するか、前記保存ステップによって保存するかのうちの少なくとも何れか一つをユーザに選択させるための選択画面を、当該表示部に表示させる表示制御ステップと、
前記取得ステップによって取得されるファイルの属性を解析することによって、当該ファイルは印刷が許可されたファイルであるか否かを判断する判断ステップと、
を有し、
前記判断ステップによって前記ファイルは印刷が許可されたファイルでないと判断された場合、前記表示制御ステップは、当該ファイルを印刷することが選択できない表示形態で、前記選択画面を表示させることを特徴とする画像処理装置の制御方法。
【請求項１８】
画像処理装置の制御方法であって、
ネットワーク上のＷｅｂサーバにアクセスし、当該Ｗｅｂサーバに格納されたファイルを取得する取得ステップと、
前記取得ステップで取得したファイルを印刷する印刷ステップと、
前記取得ステップで取得したファイルを記憶部に保存する保存ステップと、
表示部に表示されたＷｅｂページ中に含まれる前記ファイルへのリンクがユーザに選択されるのに応じて、前記印刷ステップによって印刷するか、前記保存ステップによって保存するかのうちの少なくとも何れか一つをユーザに選択させるための選択画面を、当該表示部に表示させる表示制御ステップと、
前記取得ステップによって取得されるファイルの属性を解析することによって、当該ファイルは保存が許可されたファイルであるか否かを判断する判断ステップと、
を有し、
前記判断ステップによって前記ファイルは保存が許可されたファイルでないと判断された場合、前記表示制御ステップは、当該ファイルを保存することが選択できない表示形態で、前記選択画面を表示させることを特徴とする画像処理装置の制御方法。
【請求項１９】
タッチパネルを備える表示部を有する装置の制御方法であって、
前記表示部に表示された複数のボタンのうちの何れかのボタンを指で触れることによって行う所定の操作に応答して、当該操作がされたボタンに対応する画面を前記表示部に表示させる第１の表示制御ステップと、
ネットワーク上のサーバから取得したハイパーテキストデータに基づいて生成された画面を前記表示部に表示させる第２の表示制御ステップと、
前記ハイパーテキストデータが別のデータへのリンクを含む場合に、当該リンクを示す表示箇所に対して、前記ボタンに対して行った所定の操作と同じ操作が行われた場合には、当該操作に応答してリンク先の別のデータを表示させることなく、リンク先の別のデータを印刷する処理を少なくとも含む複数の処理の中から何れかの処理をユーザに選択させるための選択画面を前記表示部に表示させる第３の表示制御ステップと、
を有することを特徴とする装置の制御方法。
【請求項２０】
タッチパネルを備える表示部と、
データを記憶する記憶部と、を有する装置の制御方法であって、
前記表示部に表示された複数のボタンのうちの何れかをユーザがタッチすることに応答して、当該タッチされたボタンに対応した固有の画面を前記表示部に表示させる第一の表示制御ステップと、
ネットワーク上のサーバから取得したハイパーテキストデータに基づいて生成された画面を前記表示部に表示させる第二の表示制御ステップと、
前記ハイパーテキストデータがＰＤＦファイルへのリンクを含む場合に、当該ＰＤＦファイルへのリンクに対応する表示箇所を、前記ボタンをタッチしたときと同じ操作によってタッチすることに応答して、当該ＰＤＦファイルを表示するか、印刷するか、保存するかをユーザに選択させるための選択画面を前記表示部に表示させる第三の表示制御ステップと、
前記表示部に表示された選択画面において、ユーザによって表示が選択された場合、前記リンクに対応するＰＤＦファイルを前記表示部に表示させる第四の表示制御ステップと、
前記表示部に表示された選択画面において、ユーザによって印刷が選択された場合、前記リンクに対応するＰＤＦファイルを印刷させる印刷制御ステップと、
前記表示部に表示された選択画面において、ユーザによって保存が選択された場合、前記リンクに対応するＰＤＦファイルを前記記憶部に記憶する記憶ステップと、
を有することを特徴とする装置の制御方法。
【請求項２１】
請求項１７乃至２０の何れか一項に記載の各ステップをコンピュータに実行させるためのプログラム。
【手続補正２】
【補正対象書類名】明細書
【補正対象項目名】０００４
【補正方法】変更
【補正の内容】
【０００４】
しかしながら、上記従来の技術では、一度Ｗｅｂサーバから取得して、表示又は印刷を行ったＷｅｂページに対して、再度表示又は印刷を行う場合に、改めてＷｅｂサーバにアクセスし、Ｗｅｂページを取得していた。つまり、一度取得したＷｅｂページを保存し、再度表示させたり、印刷させることはできなかった。
そこで本発明は、Ｗｅｂページを取得して印刷を行う画像処理装置において、取得したＷｅｂページを印刷するだけでなく、保存することを可能にし、これら処理のうち、ユーザが所望する処理を選択的に実行することができるとともに、これら処理のうち、禁止されている処理をユーザが誤って選択することを防ぐ画像処理装置を提供する。
または、取得したＷｅｂページに対して行う処理を複数の選択肢の中からユーザに選択させる際の操作性をより向上させることを目的とする。
【手続補正３】
【補正対象書類名】明細書
【補正対象項目名】０００７
【補正方法】変更
【補正の内容】
【０００７】
本発明によれば、Ｗｅｂページを取得して印刷を行う画像処理装置において、取得したＷｅｂページを印刷するだけでなく、保存することが可能となり、これら処理のうち、ユーザが所望する処理を選択的に実行することができると共に、これら処理のうち、禁止されている処理をユーザが誤って選択することを防ぐことができる。または、取得したＷｅｂページに対して行う処理を複数の選択肢の中からユーザに選択させる際の操作性をより向上させることができる。